(57)【要約】      （修正有）【課題】ブラックバスの成魚の捕獲、作業における人的、金銭的コストの軽減。困難な水中・船上作業による作業効率の向上。ブラックバスの多岐にわたる生息域での使用に対応し、特に水質の悪い沼地などでの腐泥などに耐え得る構造を提供する。【解決手段】本装置Ａは１の開口部のある立方体の装置で、ブラックバスの侵入・営巣行動により落下扉２が落下し開口部１を閉鎖、捕獲するものを基本とし、落下扉２・側壁３と３−ａ・天板及び底板４ともに素材を目合いの大きな、できれば金属のメッシュパネルとし、また各壁を１枚の独立したパネルとして立方体に締結した構造にする。【選択図】図１
0003130355.tif 000002
【実用新案登録請求の範囲】
【請求項１】
ブラックバスの営巣行動により扉を閉鎖し生け捕りにする小型捕獲装置
【請求項２】
組立て分解・補修が容易なパネル組立て構造のブラックバス捕獲装置
【考案の詳細な説明】
【技術分野】
【０００１】本発明は、捕獲が困難なブラックバスの営巣行動を利用し捕獲しようと言うものである。
【背景技術】
【０００２】貪欲で強い魚食性を持ち、生態バランスに悪影響をおよぼす外来魚ブラックバスの捕獲及び駆除方法には、従来の漁法を用いての方法があり、定置網や地引網は、他魚種まで一網打尽にし、刺し網は網目によって魚体に適合しない場合があり、更に力の強いブラックバスは網を破壊するなどして逃げてしまうケースが多く、逆に他魚種に対しての攻撃性は他の網と同様、危険なものでした。しかも食性は生餌しか捕食せず、動く物しか反応しない為、延縄なども適当ではありません。そこで該当する水域の水を完全に抜き、０からやり直すと言う乱暴な方法を取るしかありませんでした。これは該当水域の魚類ばかりではなく、その水域を生活域とする水棲昆虫やその幼虫、また鳥類など生物全体のバランスを崩しかねませんでした。また上記の方法は施行方法に技術的な部分や、許可が必要であったり、コストの負担もあり、コミュニティーレベルでどうのと言う物では無く、結局は１匹ずつエサを使って釣ると言う非効率な方法をとるより他に無く、新しい捕獲方法の開発が急務となっております。【０００３】最近では、目視で巣または該当魚を発見し、大きな電流を流し魚を感電させる物（ショッカーボート）があり、効率は良いのですが、生息水域が多岐に渡り、透明度が良い場所や止水域だけでは無いため、目視での確認は困難で、しかもショッカーボート自体も高価で台数も日本に僅しかありませんので、日本全国の内水面全域に生息する現在の状況では、全てへの対応は無理があります。環境に優しい方法として新聞等で報道され注目されているのは、「参考文献１」のラムサール条約の登録地、伊豆沼で採用されて伊豆沼方式と呼ばれる、水中に樹脂製の人口産卵床と言う営巣に適した構造物を作り、一つ一つ目視でブラックバスの営巣・産卵を確認し、手作業により卵を除去する作業を行う方法で、稚魚の孵化を防いでいるとともに、コストと環境には優しく、他の魚種への攻撃性が無いものの、多くの人手と過酷な水中での労働を必要とし、また巣を追われた親魚が再び営巣行動に入る可能性がありました。【０００４】先の発明品としては、「特許文献１・２」については規模が大きく、コストもかかり、小さい規模の水域では導入が難しく、他種を誤って捕獲する危険性もあり、しかも従来の魚網を使用する漁法より効果的かは疑問が残る。「特許文献３」については、ブラックバスの営巣行動に着眼して、誤って他魚の捕獲を極力防いでいるが、上部が開放されており、完全に入り口を閉鎖しない為、網に行かなければ無意味で、刺網を使用している為、網目が魚体に適合していないと捕獲できない、且つブラックバスは力が強く、刺網を外してしまうケースが多く、また刺網が空で放置された場合に他種への危険性があります。
【特許文献１】特開２００１−２６９１０９号公報
【特許文献２】特開２００２−３６０１２１号公報
【特許文献３】特開２００５−３１２３２８号公報
【参考文献１】
２００５年６月１５日朝日新聞夕刊
【０００５】流水域に好んで生息するブラックバスの一種、スモールマウスバスへの対応を明言する発明品は見つける事ができませんでした。
【考案の開示】
【考案が解決しようとする課題】
【０００６】ブラックバスの成魚の捕獲、作業における人的、金銭的コストの軽減。困難な水中・船上作業による作業効率の向上。ブラックバスの多岐にわたる生息域での使用に対応し、特に水質の悪い沼地などでの腐泥などに耐え得る構造。最近問題視されている流水域を好む、スモールマウスバス捕獲にも使用出来る事。誤って他魚種を捕獲してもダメージを最小限にする。
【課題を解決するための手段】
【０００７】安価に製作できる素材。産卵に好適な環境。流水に対応する為、通水性が高く、固定が容易な構造。腐泥などの付着により故障する原因になりにくい構造。困難な水中での作業を考慮し複雑な機構を使用しない。分解・補修が容易な構造。動作確認の目印の設置。
【考案の効果】
【０００８】繁殖時期に繁殖条件地に本装置を設置し、繁殖可能な成熟したブラックバスの雄を捕獲することにより、繁殖・増殖を抑制できる。素材は強度のある金属または樹脂のメッシュパネルにすることにより、捕獲魚は呼吸可能で、魚網と違い認識しやすい為接触による魚体のダメージを与えにくく、生体のまま捕獲でき、誤った魚種を捕獲しても生きたまま戻す事ができる。又、大きい目合いにすることで小魚が入り込んでも脱出可能になる。河川などの流れのある水域でも、通水性に優れる為、多少の流水域での使用も可能となり、竹竿などを本体に通しての固定や、ロープ・アンカーによる固定が容易で、万が一の流失も防げ、流水域を好むスモールマウスバスの捕獲にも適応できる。構成部品は既存の部品の流用も可能で、水中作業でもメンテナンスが可能な簡単な構造の為、流木などにより本体にダメージを負った場合、市販のメッシュパネルや針金等を用いて誰でも破損箇所を修理しすぐに再使用でき、なにより丈夫で安価に製作が可能である。立方体の為、重ねて持ち運びでき、連結使用など状況に応じた形状にすることで取りこぼしなく既存の営巣域に対応することができ、落下扉部にウキなどの目印をつけておけば、水深により若干の修正が必要なものの、水面から離れた場所より扉の動作の確認が可能で、作動した装置だけを確認すれば良く、作業の効率を上げることができ、装置を敷設した付近に接近しているブラックバスに警戒心を持たれずに済むと言う利点がある。
【考案を実施するための最良の形態】
【０００９】本装置Ａは１の開口部のある立方体の装置で、ブラックバスの侵入・営巣行動により落下扉２が落下し開口部１を閉鎖、捕獲するものを基本とし、落下扉２・側壁３と３−ａ・天板及び底板４ともに素材を目合いの大きな、できれば金属のメッシュパネルとし、また各壁を１枚の独立したパネルとして立方体に締結した構造にすれば、不具合の部位のみの交換ですぐに再利用でき、側壁３・天板および底板４の４枚を同寸法、落下扉２・側壁３−ａの２枚を同寸法にすれば、製作・補修費用を更に軽減できる。金属には樹脂塗装などの防錆加工されている物を使用するのが好ましい。側壁３には、ブラックバスの物陰を好む性質を利用し、側壁３・側壁３−ａには遮光物９を取り付けるのが好ましいが、水流の発生状況により遮光物を減らすか、または取り付けない。内部には繁殖期のブラックバスを誘引するため固形物５を設置し、石５を使った営巣活動で落下扉２を作動させる為に、石５の間に棒状の入力部６を底部に設置する。ブラックバスの営巣は激しく尾で石５を叩く為、直接や間接的に入力部６を押し倒す６−ａ。入力部６には、テグスやワイヤーなどのヒモ１０をつけておき扉固定部７へつなげる。入力部６は底部を支点としてテコの原理で強くヒモ１０を引き、扉固定部７が引かれて開放され、落下扉２が開口部１を閉鎖する。扉固定部７は落下扉２をカンヌキ状に固定するもので、素材がメッシュパネルの為、平板状の物で充分な役割をする。尚、落下扉固定部７は使用条件に応じ側壁３に設置しても良い。落下扉２に水深に応じてウキなどの目印８を取り付けると、落下扉２の動作を離れた場所からの確認ができる。また側壁３を共有する数個の連続した形状にすることで、より漏れの無い実施が可能となり、部品点数減少により更なるコストダウンが期待できる。
【実施例１】
【００１０】図１は、本装置Ａの全体像と各部の符号
【実施例２】
【００１１】図２は、本装置Ａの捕獲部の側面からの断面図
【実施例３】
【００１２】図３は、入力部６と扉固定部７とヒモ１０の動作
【実施例４】
【００１３】図４は、側壁３を共有する連結使用の斜図
【図面の簡単な説明】
【００１４】ブラックバスが巣作りする際に、本装置Ａの開口部１より侵入し、営巣行動で尾で石５をかなりの力で叩くので、石５の間に設置した入力部６を叩き、入力部６につながれたヒモ１０が引かれ６−ａ（図３）、落下扉固定部７が開放し落下扉２が落下して開口部１を閉鎖し、ブラックバスを捕獲する。
【図１】ななめからの外観斜図
【図２】側面からの断面図
【図３】各部の入力時の基本動作
【図４】連結時の斜図
【符号の説明】
【００１５】１  開口部
２  落下扉
３  側壁
３−ａ側壁（奥）
３−ｂ側壁（共有する側壁）
４  天板および床板
５  石・ブロック
６  入力部
６−ａ入力部６作動時
７  落下扉固定部
８  扉作動目印
９  側壁遮光部
１０  ヒモ
【図１】
0003130355.tif 000003
【図２】
0003130355.tif 000004
【図３】
0003130355.tif 000005
【図４】
0003130355.tif 000006
【手続補正書】
【提出日】平成18年9月7日(2006.9.7)
【手続補正１】
【補正対象書類名】実用新案登録請求の範囲
【補正対象項目名】全文
【補正方法】変更
【補正の内容】
【実用新案登録請求の範囲】
【請求項１】
立方体を有するブラックバス捕獲装置
【請求項２】
取り外し可能な独立した網状の壁を有する捕獲装置
【手続補正書】
【提出日】平成18年12月8日(2006.12.8)
【手続補正１】
【補正対象書類名】実用新案登録請求の範囲
【補正対象項目名】全文
【補正方法】変更
【補正の内容】
【実用新案登録請求の範囲】
【請求項１】
箱型ブラックバス捕獲装置